【手続補正書】
【提出日】平成20年10月7日(2008.10.7)
【手続補正１】
【補正対象書類名】特許請求の範囲
【補正対象項目名】全文
【補正方法】変更
【補正の内容】
【特許請求の範囲】
【請求項１】
オーディオの再生のための１対のオーディオ入力信号であって、該１対のオーディオ入力信号には、左入力信号と右入力信号とが含まれることを特徴とする、１対のオーディオ入力信号を受け入れるステップと、
前記入力信号の和に比例する第１の信号（和信号）と前記入力信号の差に比例する第２の信号（差信号）とを作り出すために前記入力信号をシャッフルするステップと、
中央位置でバーチャル音源を聞いているリスナーの中央ＨＲＴＦの２倍に近似するフィルターで前記和信号をフィルターするステップと、
１対のバーチャルスピーカを聞いているリスナーの近接耳ＨＲＴＦと遠方耳ＨＲＴＦとの差に近似するフィルターで前記差信号をフィルターするステップと、
前記フィルターされた和信号と前記フィルターされた差信号との和に比例する第１の出力信号と前記フィルターされた和信号と前記フィルターされた差信号との差に比例する第２の出力信号とを作り出すために、前記フィルターされた和信号と前記フィルターされた差信号とをシャッフル解除するステップと、
を具備し、
前記１対のオーディオ入力信号にパンされた信号成分が含まれる場合、ヘッドフォンを通して前記第１の出力信号と前記第２の出力信号とを聞いているリスナーに、前記パンされた信号成分が前記中央位置でバーチャル音源から生じているような感覚を与えることを特徴とする、
方法。
【請求項２】
前記中央ＨＲＴＦの２倍に近似するフィルターは、前記近接耳ＨＲＴＦと前記遠方耳ＨＲＴＦとをそれぞれイコライジングフィルターによりフィルターすることにより得られた、前記近接耳ＨＲＴＦをイコライズしたものと前記遠方耳ＨＲＴＦをイコライズしたものとの和として得られたことを特徴とする請求項１に記載の方法。
【請求項３】
１対のオーディオ入力信号をシャッフルする手段であって、該シャッフルする手段は、前記入力信号の和に比例する第１の信号（和信号）と前記入力信号の差に比例する第２の信号（差信号）とを生成し、該オーディオ入力信号には、左入力信号と右入力信号とが含まれることを特徴とする、１対のオーディオ入力信号をシャッフルする手段と、
中央位置でバーチャル音源を聞いているリスナーの中央ＨＲＴＦの２倍に近似するフィルターで前記和信号をフィルターする手段であって、該和信号をフィルターする手段は、前記シャッフルする手段と結合していることを特徴とする和信号をフィルターする手段と、
１対のバーチャルスピーカを聞いているリスナーの近接耳ＨＲＴＦと遠方耳ＨＲＴＦとの差に近似するフィルターで前記差信号をフィルターする手段であって、該差信号をフィルターする手段は、前記シャッフルする手段と結合していることを特徴とする差信号をフィルターする手段と、
前記フィルターされた和信号と前記フィルターされた差信号とをシャッフル解除する手段であって、該シャッフル解除する手段は前記シャッフルする手段と結合しており、該シャッフル解除する手段は、前記フィルターされた和信号と前記フィルターされた差信号との和に比例する第１の出力信号と前記フィルターされた和信号と前記フィルターされた差信号との差に比例する第２の出力信号とを作り出すことを特徴とするシャッフル解除する手段と、
を具備し、
前記１対のオーディオ入力信号にパンされた信号成分が含まれる場合、ヘッドフォンを通して前記第１の出力信号と前記第２の出力信号とを聞いているリスナーに、前記パンされた信号成分が前記中央位置でバーチャル音源から生じているような感覚を与えることを特徴とする、
装置。
【請求項４】
前記中央ＨＲＴＦの２倍に近似するフィルターは、前記近接耳ＨＲＴＦと前記遠方耳ＨＲＴＦとをそれぞれイコライジングフィルターによりフィルターすることにより得られた、前記近接耳ＨＲＴＦをイコライズしたものと前記遠方耳ＨＲＴＦをイコライズしたものとの和として得られたことを特徴とする請求項３に記載の装置。
【請求項５】
前記イコライジングフィルターは、前記近接耳ＨＲＴＦと前記遠方耳ＨＲＴＦとの和に比例するフィルターの逆フィルターであることを特徴とする請求項４に記載の装置。
【請求項６】
前記イコライジングフィルターの応答は、前記近接耳ＨＲＴＦと前記遠方耳ＨＲＴＦとの和に比例するフィルターの応答を周波数領域に変換することにより決定されることを特徴とする請求項５に記載の装置。
【請求項７】
前記イコライジングフィルターの応答は、前記近接耳ＨＲＴＦと前記遠方耳ＨＲＴＦとの和に比例するフィルターの応答を反転させる適応フィルター法により決定されることを特徴とする請求項５に記載の装置。
【請求項８】
前記中央ＨＲＴＦの２倍に近似するフィルターは、好ましい中央ＨＲＴＦの２倍に実質的に等しい応答を持つフィルターであることを特徴とする請求項３に記載の装置。
【請求項９】
前記１対のバーチャルスピーカは、左バーチャルスピーカ位置と右バーチャルスピーカ位置とがリスナーに対して対称であり、リスナー及びリスニングは、近接ＨＲＴＦが左バーチャルスピーカから左耳ＨＲＴＦへと、右バーチャルスピーカから右耳ＨＲＴＦへとなるような、そして、遠方ＨＲＴＦが左バーチャルスピーカから右耳ＨＲＴＦへ、右バーチャルスピーカから左耳ＨＲＴＦへとなるような対称的なものとなることを特徴とする請求項３に記載の装置。
【請求項１０】
前記１対のバーチャルスピーカは、左バーチャルスピーカ位置と右バーチャルスピーカ位置にあり、前記近接ＨＲＴＦは、左バーチャルスピーカから左耳ＨＲＴＦへのと右バーチャルスピーカから右耳ＨＲＴＦへのとの平均に比例し、前記遠方ＨＲＴＦは、左バーチャルスピーカから右耳ＨＲＴＦへのと右バーチャルスピーカから左耳ＨＲＴＦへのとの平均に比例することを特徴とする請求項３に記載の装置。
【請求項１１】
前記オーディオ入力信号には、左入力と右入力とが含まれ、前記１対のバーチャルスピーカは、リスナーの前の左前方バーチャルスピーカ位置と右前方バーチャルスピーカ位置にあることを特徴とする請求項３に記載の装置。
【請求項１２】
前記左前方バーチャルスピーカ位置と右前方バーチャルスピーカ位置とは、４５度と９０度との間の大きさの方位角であることを特徴とする請求項１１に記載の装置。
【請求項１３】
前記オーディオ入力信号には、左入力と右入力とが含まれ、前記１対のバーチャルスピーカは、リスナーの後の左後方バーチャルスピーカ位置と右後方バーチャルスピーカ位置にあることを特徴とする請求項３に記載の装置。
【請求項１４】
前記オーディオ入力信号は、サラウンドサウンド再生のための３以上の入力信号のセットのサブセットであり、前記方法には、ヘッドフォン通して聞くために、前記入力信号の各々にバーチャルスピーカ位置を生成するステップを含む、３以上の入力信号のセットを処理するステップが含まれることを特徴とする請求項３に記載の装置。
【請求項１５】
入力信号の各々をＨＲＴＦフィルター対によりフィルターするステップと
該ＨＲＴＦフィルターされた信号を加算するステップと、
による結果に対応する１対の出力信号を生成する処理により、１対のオーディオ入力信号をフィルターするステップを具備する方法であって、
前記ＨＲＴＦフィルター対は、ヘッドフォンで１対の出力信号を聞いているリスナーが好ましい１対のバーチャルスピーカ位置からのサウンドを体験するようなフィルター対であり、
前記フィルターするステップは、前記１対のオーディオ入力信号にパンされた信号成分が含まれている場合、前記バーチャルスピーカ位置の間の中央位置にあるバーチャル音源からパンされた信号成分が生じているような感覚を１対の出力信号を聞いているリスナーにヘッドフォンを通して提供するようなステップである、
ことを特徴とする方法。
【請求項１６】
前記オーディオ入力信号には左入力信号と右入力信号とが含まれ、前記ＨＲＴＦフィルター対には、好ましいバーチャルスピーカ位置の１対のバーチャルスピーカを聞いているリスナーに対する近接耳ＨＲＴＦと遠方耳ＨＲＴＦとが含まれ、前記１対のオーディオ入力信号をフィルターするステップは、
前記入力信号の和に比例する第１の信号（和信号）と前記入力信号の差に比例する第２の信号（差信号）とを作り出すために前記入力信号をシャッフルするステップと、
中央位置でバーチャル音源を聞いているリスナーの中央ＨＲＴＦの２倍に近似するフィルターで前記和信号をフィルターするステップと、
前記近接耳ＨＲＴＦと前記遠方耳ＨＲＴＦとの差に近似するフィルターを介して前記差信号をフィルターするステップと、
前記フィルターされた和信号と前記フィルターされた差信号との和に比例する第１の出力信号と前記フィルターされた和信号と前記フィルターされた差信号との差に比例する第２の出力信号とを作り出すために、前記フィルターされた和信号と前記フィルターされた差信号とをシャッフル解除するステップと、
を具備することを特徴とする請求項１５に記載の方法。
【請求項１７】
オーディオ再生のために１対のオーディオ入力信号であって、該１対のオーディオ入力信号には、左入力信号と右入力信号とが含まれることを特徴とする、１対のオーディオ入力信号をフィルターするステップであって、前記入力信号の各々をＨＲＴＦフィルター対によりフィルターするステップと、
前記ＨＲＴＦフィルターされた信号を加算するステップと、
前記加算されたＨＲＴＦフィルターされた信号のクロストークを除去するステップと、
を具備する処理の結果得られたものに対応する１対の出力信号を生成する処理によりフィルターされることを特徴とするステップを具備する方法であって、
前記ＨＲＴＦフィルター対は、１対の出力信号を聞いているリスナーが好ましいバーチャルスピーカ位置の１対のバーチャルスピーカからのサウンドを体験するようなフィルター対であり、
前記フィルターするステップは、前記１対のオーディオ入力信号にパンされた信号成分が含まれている場合、前記バーチャルスピーカ位置の間の中央位置にあるバーチャル音源からパンされた信号成分が生じているような感覚を１対の出力信号を聞いているリスナーに前記第１のスピーカセットの位置にある１対のスピーカを通して提供するようなステップである、
ことを特徴とする方法。
【請求項１８】
前記ＨＲＴＦフィルター対には、好ましいバーチャルスピーカ位置の１対のバーチャルスピーカを聞いているリスナーに対する近接耳ＨＲＴＦと遠方耳ＨＲＴＦとが含まれ、前記１対のオーディオ入力信号をフィルターするステップは、
前記入力信号の和に比例する第１の信号（和信号）と前記入力信号の差に比例する第２の信号（差信号）とを作り出すために前記入力信号をシャッフルするステップと、
中央位置でバーチャル音源を聞いているリスナーの中央ＨＲＴＦの２倍に近似するフィルターで前記和信号をフィルターするステップと、
前記近接耳ＨＲＴＦと前記遠方耳ＨＲＴＦとの差に近似するフィルターを介して前記差信号をフィルターするステップと、
前記フィルターされた和信号と前記フィルターされた差信号との和に比例する第１の出力信号と前記フィルターされた和信号と前記フィルターされた差信号との差に比例する第２の出力信号とを作り出すために、前記フィルターされた和信号と前記フィルターされた差信号とをシャッフル解除するステップと、
を具備することを特徴とする請求項１７に記載の方法。
【請求項１９】
前記中央ＨＲＴＦの２倍に近似するフィルターは、好ましい中央ＨＲＴＦの２倍に実質的に等しい応答を持つフィルターであることを特徴とする請求項１、請求項１６、又は請求項１８のいずれか１項に記載の方法。
【請求項２０】
前記ＨＲＴＦフィルター対には、イコライズされた近接耳ＨＲＴＦとイコライズされた遠方耳ＨＲＴＦとが含まれ、前記イコライズされた近接耳ＨＲＴＦと前記イコライズされた遠方耳ＨＲＴＦとはそれぞれ、前記好ましいバーチャルスピーカ位置の１対のバーチャルスピーカを聞いているリスナーに対する近接耳ＨＲＴＦと遠方耳ＨＲＴＦとをイコライズすることにより得られ、前記イコライズは、前記イコライズされた近接耳ＨＲＴＦと前記イコライズされた遠方耳ＨＲＴＦとの和又は平均が、中央位置でバーチャル音源を聞いているリスナーに対する好ましい中央ＨＲＴＦに比例することを特徴とする請求項１５又は請求項１７に記載の方法。
【請求項２１】
前記イコライジングフィルターは、前記近接耳ＨＲＴＦと前記遠方耳ＨＲＴＦとの平均に比例するフィルターの逆フィルターであることを特徴とする請求項２又は請求項２０に記載の方法。
【請求項２２】
前記１対のオーディオ入力信号をフィルターするステップは、前記１対のオーディオ入力信号の和が、好ましい中央ＨＲＴＦの２倍に実質的に等しいフィルター応答によりフィルターされるようになされることを特徴とする請求項１５又は請求項１７に記載の方法。
【請求項２３】
前記１対のバーチャルスピーカは、左バーチャルスピーカ位置と右バーチャルスピーカ位置とがリスナーに対して対称であり、リスナー及びリスニングは、近接ＨＲＴＦが左バーチャルスピーカから左耳ＨＲＴＦへと、右バーチャルスピーカから右耳ＨＲＴＦへとなるような、そして、遠方ＨＲＴＦが左バーチャルスピーカから右耳ＨＲＴＦへ、右バーチャルスピーカから左耳ＨＲＴＦへとなるような対称的なものとなることを特徴とする請求項１、請求項１５、又は請求項１７のいずれか１項に記載の方法。
【請求項２４】
前記１対のバーチャルスピーカは、左バーチャルスピーカ位置と右バーチャルスピーカ位置にあり、前記近接ＨＲＴＦは、左バーチャルスピーカから左耳ＨＲＴＦへのと右バーチャルスピーカから右耳ＨＲＴＦへのとの平均に比例し、前記遠方ＨＲＴＦは、左バーチャルスピーカから右耳ＨＲＴＦへのと右バーチャルスピーカから左耳ＨＲＴＦへのとの平均に比例することを特徴とする請求項１、請求項１５、又は請求項１７のいずれか１項に記載の方法。
【請求項２５】
前記１対のバーチャルスピーカは、リスナーの前の左前方バーチャルスピーカ位置と右前方バーチャルスピーカ位置にあることを特徴とする請求項１、請求項１５、又は請求項１７のいずれか１項に記載の方法。
【請求項２６】
前記左前方バーチャルスピーカ位置と右前方バーチャルスピーカ位置とは、４５度と９０度との間の大きさの方位角であることを特徴とする請求項２５に記載の方法。
【請求項２７】
前記１対のバーチャルスピーカは、リスナーの後の左後方バーチャルスピーカ位置と右後方バーチャルスピーカ位置にあることを特徴とする請求項１、請求項１５、又は請求項１７のいずれか１項に記載の方法。
【請求項２８】
前記オーディオ入力信号は、サラウンドサウンド再生のための３以上の入力信号のセットのサブセットであり、前記方法には、ヘッドフォン通して聞くために、前記入力信号の各々にバーチャルスピーカ位置を生成するステップを含む、３以上の入力信号のセットを処理するステップが含まれることを特徴とする請求項１、請求項１５、又は請求項１７のいずれか１項に記載の方法。
【請求項２９】
イコライジングフィルターにより１対のオーディオ入力信号をイコライズするステップと、
第１のバーチャルスピーカ位置と第２のバーチャルスピーカ位置から生じたオーディオ入力信号に対応するサウンドであるかのような錯覚をヘッドフォンを通したバイノーラライズされた出力を聞いているリスナーに与えるような、１対のバイノーラライズされた出力を提供するＨＲＴＦ対を用いて、前記イコライジングされた入力信号をバイノーラライズするステップと、
を具備し、
イコライジングとバイノーラライジングの組み合わせがイコライズされたＨＲＴＦ対を用いてバイノーラライズすることと等価となるように、イコライズされたＨＲＴＦ対の各イコライズされたＨＲＴＦは、イコライジングフィルターによりイコライズされた、イコライズされた信号をバイノーラライズするために対応するＨＲＴＦとなり、
イコライズされたＨＲＴＦの平均は、第１のバーチャルスピーカ位置と第２のバーチャルスピーカ位置との間の中央位置から生じるサウンドを聞いているリスナーにとって好ましいＨＲＴＦと実質的に等しく、
前記１対のオーディオ入力信号にパンされた信号成分が含まれている場合、ヘッドフォンを通してバイノーラライズされた出力を聞いているリスナーに、中央に位置するバーチャル音源からパンされた信号成分が生じているような感覚を与える、
ことを特徴とする方法。
【請求項３０】
ヘッドフォンを通して処理された信号を聞いているリスナーに、第１のバーチャルスピーカ位置と第２のバーチャルスピーカ位置から生じたオーディオ入力信号にほぼ対応するサウンドのような錯覚を起こさせるように、１対のオーディオ入力信号を処理する１組のＨＲＴＦフィルターのための、フィルターデータを伝達する伝達媒体であって、該ＨＲＴＦフィルターは、ＨＲＴＦフィルターの平均が第１のバーチャルスピーカ位置と第２のバーチャルスピーカ位置との中央位置からサウンドを聞いているリスナーのＨＲＴＦ応答に近似するように設計されていることを特徴とする、コンピュータ読取可能な媒体。
【請求項３１】
ヘッドフォンを通して処理された信号を聞いているリスナーに、１対のオーディオ入力信号の各々の間でパンされた信号成分が、第１のバーチャルスピーカ位置と第２のバーチャルスピーカ位置との中央位置から生じたパンされた信号成分であるかのような錯覚を起こさせような、第１のバーチャルスピーカ位置と第２のバーチャルスピーカ位置から生じたオーディオ入力信号に対応するサウンドのような錯覚をヘッドフォンを通して処理された信号を聞いているリスナーに起こさせるように、１対のオーディオ入力信号を処理することを特徴とする１組のＨＲＴＦフィルターのフィルターデータを伝達する、コンピュータ読取可能な媒体。
【請求項３２】
オーディオの再生のための１対のオーディオ入力信号を受け入れるステップと、
前記入力信号の和に比例する第１の信号（和信号）と前記入力信号の差に比例する第２の信号（差信号）とを作り出すために前記入力信号をシャッフルするステップと、
近接耳ＨＲＴＦをイコライズしたものと遠方耳ＨＲＴＦをイコライズしたものとの和に近似するフィルターにより前記和信号をフィルターするステップであって、該近接耳ＨＲＴＦと該遠方耳ＨＲＴＦは、対応するバーチャルスピーカ位置で１対のバーチャルスピーカを聞いているリスナーのためのものであり、該イコライズしたものは、前記イコライズした近接耳ＨＲＴＦと前記イコライズした遠方耳ＨＲＴＦとを平均したものが、バーチャルスピーカ位置の中央位置でバーチャル音源を聞いているリスナーの中央ＨＲＴＦに近似するように設計したイコライゼーションフィルターを用いて得られることを特徴とするステップと、
前記１対のバーチャルスピーカを聞いている前記リスナーの、前記近接耳ＨＲＴＦをイコライズしたものと前記遠方耳ＨＲＴＦをイコライズしたものとの差に近似するフィルターにより前記差信号をフィルターするスッテップと、
前記フィルターされた和信号と前記フィルターされた差信号との和に比例する第１の出力信号と前記フィルターされた和信号と前記フィルターされた差信号との差に比例する第２の出力信号とを作り出すために、前記フィルターされた和信号と前記フィルターされた差信号とをシャッフル解除するステップと、
を具備し、
前記１対のオーディオ入力信号にパンされた信号成分が含まれる場合、ヘッドフォンを通して前記第１の出力信号と前記第２の出力信号とを聞いているリスナーに、前記パンされた信号成分が前記中央位置でバーチャル音源から生じているような感覚を与えることを特徴とする方法。
【請求項３３】
前記イコライジングフィルターの応答は、前記近接耳ＨＲＴＦと前記遠方耳ＨＲＴＦとの和に比例するフィルターの応答を周波数領域に変換することにより決定されることを特徴とする請求項２１に記載の方法。
【請求項３４】
前記イコライジングフィルターの応答は、前記近接耳ＨＲＴＦと前記遠方耳ＨＲＴＦとの和に比例するフィルターの応答を反転させる適応フィルター法により決定されることを特徴とする請求項２１に記載の方法。
【請求項３５】
請求項１、請求項２、請求項１５、請求項１６、請求項１７乃至請求項２９、請求項３２乃至請求項３４のいずれか１項に記載の方法を実行させる処理システムの少なくとも１つのプロセッサにより実行されるプログラムコード。
【請求項３６】
請求項１、請求項２、請求項１５、請求項１６、請求項１７乃至請求項２９、請求項３２乃至請求項３４のいずれか１項に記載の方法を実行させる処理システムの少なくとも１つのプロセッサにより実行される命令を具備するコンピュータ読取可能な媒体。